(57)【要約】      （修正有）【課題】小型カメラにおいて、ポップアップストロボの誤発光防止を図る。【解決手段】ストロボのポップアップ動作に連動して回動レバー１１２を回動させて、スイッチレバー１１４を上下動することで検知スイッチ１１６の切り替えが行える様にする。そして回動レバー１１２の回動動作を駆動ギア列１１３へ伝達するギア比を変えることによって検知スイッチ１１６の切り替えタイミングを調整し本体から露出しきっていない状態での発光を防止する。【選択図】図１
2016206571.tif 000002
【特許請求の範囲】
【請求項１】
発光部を本体に対して収納された状態からポップアップした状態へと移動可能なポップアップ機構を備えた撮像装置において、
前記発光部を回動可能に保持するとともに軸中心に回動することで移動可能なリンク部材と、
前記リンク部材をポップアップ位置へと付勢するためのバネと、
前記リンク部材の動作に連動して回動する回動レバーと、
前記発光部のポップアップ動作を検知するための検知スイッチと、
前記検知スイッチに対して押圧することで検知を行うスイッチレバーと、
前記回動レバーの回動動作を前記スイッチレバーへと伝達するための駆動列群と、
前記発光部と電子基板との間を繋ぐように形成されるフレキシブルケーブルを備え、
前記発光部がポップアップ動作をすると前記リンク部材の移動に連動して前記回動レバーは回転を行い、回動動作の回転が駆動列群によって伝達されて前記スイッチレバーが移動することで前記検知スイッチの切り替えを行い、
前記回動レバーは前記発光部がポップアップ位置にあるときには、付勢手段によって前記リンク部材へと当接するように押圧されるとともに前記フレキシブルケーブルを保護するように構成されることを特徴とする撮像装置。
【請求項２】
前記回動レバーは、導電性の部材で形成され前記リンク部材に対して付勢されて接触することで電気的な導通を確保することを特徴とする請求項１に記載の撮像装置。
【発明の詳細な説明】
【技術分野】
【０００１】
本発明は、電子機器のストロボ装置を備えたカメラに関し、特にデジタルカメラ等のポップアップ式ストロボ装置に関する。
【背景技術】
【０００２】
近年デジタルカメラの小型化・高機能化が進み、コンパクトサイズのカメラにおいても高倍率のレンズを備えたものが増えてきている。
【０００３】
従来、カメラ起動時の鏡筒駆動に連動してポップアップ動作をさせる構成が開示されている（特許文献１参照）。この構成においては鏡筒によってストロボ光が遮られて撮影画像の一部が暗くなる、いわゆるケラレを回避するために、ポップアップ機構にリンク部材を用いることでカメラ上方および前方へと発光部を移動させることが可能であった。
【先行技術文献】
【特許文献】
【０００４】
【特許文献１】特開２０１２−１２３３３５号公報
【発明の概要】
【発明が解決しようとする課題】
【０００５】
しかしながら、上述の特許文献に開示された従来技術では、ストロボがポップアップ状態にあるかどうかを判断する方法として、ストロボを収納状態に保持しておくためのロックレバー動作の連動によるスイッチのＯＮ・ＯＦＦで判断していた。この方法では、ロックレバーを解除した直後にスイッチがＯＮからＯＦＦへと切り替わってしまい、ストロボがポップアップしている途中、例えば発光部が本体から露出しきっていない状態であっても発光可能であった。そこで、発光部が露出していない状態で発光してしまうと、発光部フレネルレンズが焼けてしまったり、溶けてしまうなど性能劣化が発生してしまう懸念がある。
【０００６】
本発明の目的は、リンク機構を用いたストロボのポップアップ構成においてポップアップ状態を検知する際のタイミングを調整し、ポップアップ量が少ない状態での発光を防止することを可能にした撮像装置を提供することにある。
【課題を解決するための手段】
【０００７】
上記の目的を達成するために、本発明は以下の構成からなる。
発光部を本体に対して収納された状態からポップアップした状態へと移動可能なポップアップ機構を備えた撮像装置において、
前記発光部を回動可能に保持するとともに軸中心に回動することで移動可能なリンク部材と、
前記リンク部材をポップアップ位置へと付勢するためのバネと、
前記リンク部材の動作に連動して回動する回動レバーと、
前記発光部のポップアップ動作を検知するための検知スイッチと、
前記検知スイッチに対して押圧することで検知を行うスイッチレバーと、
前記回動レバーの回動動作を前記スイッチレバーへと伝達するための駆動列群と、
前記発光部と電子基板との間を繋ぐように形成されるフレキシブルケーブルを備え、
前記発光部がポップアップ動作をすると前記リンク部材の移動に連動して前記回動レバーは回転を行い、回動動作の回転が駆動列群によって伝達されて前記スイッチレバーが移動することで前記検知スイッチの切り替えを行い、
前記回動レバーは前記発光部がポップアップ位置にあるときには、付勢手段によって前記リンク部材へと当接するように押圧されるとともに前記フレキシブルケーブルを保護するように構成されることを特徴とする。
【発明の効果】
【０００８】
本発明の撮像装置によれば、ポップアップ動作に連動して回転する回動レバーの動作を伝達して検知スイッチのＯＮ／ＯＦＦを切り替えることで発光部の検知スイッチの切り替えタイミングをポップアップ完了位置に近づけることが可能となる。これにより発光部が本体から露出しきっていない状態での発光を防止することが可能となり、発光部フレネルレンズが焼けたり溶けてしまったりすることを防止することが可能となる。また、回動レバーはポップアップ状態においては、フレキシブルケーブルを保護するように構成されることでケーブルを傷づけたりして破損させてしまうことを防止したストロボ構成を提供することができる。
【図面の簡単な説明】
【０００９】
【図１】本発明を適用したデジタルカメラの実施例における構成を最も端的に示した分解斜視図である。
【図２】本発明を適用したデジタルカメラの実施例におけるカメラ本体の斜視図である。
【図３】本発明を適用したデジタルカメラの実施例におけるカメラ本体の斜視図である。
【図４】本発明を適用したデジタルカメラの実施例におけるカメラ本体の断面図である。
【図５】本発明を適用したデジタルカメラの実施例におけるカメラ本体の断面図である。
【図６】本発明を適用したデジタルカメラの実施例におけるストロボの動作を示す断面図である。
【図７】本発明を適用したデジタルカメラの実施例におけるストロボの動作を示す断面図である。
【図８】本発明を適用したデジタルカメラの実施例におけるストロボの検知スイッチを示した図である。
【図９】本発明を適用したデジタルカメラの実施例におけるカメラの正面図である。
【図１０】本発明を適用したデジタルカメラの実施例におけるストロボの斜視図である。
【発明を実施するための形態】
【００１０】
以下に、本発明の好ましい実施の形態を、添付の図面に基づいて詳細に説明する。
【実施例１】
【００１１】
図１は本発明の実施形態にかかわるストロボユニットの分解斜視図である。
【００１２】
図１に示すストロボ装置において、１０１は発光部、１０２は樹脂材料で形成されるストロボベース、１１１は前記発光部ユニットから電気的信号を伝達するために接続されるフレキシブルケーブルである。１０３は前記発光部を保持するストロボホルダ、１０４は前記ストロボホルダの上面を覆うとともに外観面を形成するストロボカバーでありビスによって固定される。
【００１３】
１０５は板金に曲げ加工等を行って形成されたリンク部材で、下側シャフト１０９を中心に回動するとともに上側シャフト１０８を中心に前記ストロボホルダ１０３を回動自在に保持している。１０６はストロボホルダ１０３をリンク部材１０５に対して回転付勢するホルダバネ、１０７はリンク部材１０５を前記ストロボベース１０２に対して回転付勢するリンクバネである。
【００１４】
１１０は前記フレキシブルケーブル１１１を保護するフレキカバーであり、前記フレキシブルケーブル１１１を挿通する空間を確保するようにリンク部材１０５に対して固定される。１１２はリンク部材の動作に連動して回動移動を行う回動レバー、１１３は駆動ギア列、１１４はスイッチレバー、１１７は前記スイッチレバー１１４を上方へと付勢するスイッチバネである。１１５はストロボユニットの背面に固定されるストロボ基板であり、前記フレキシブルケーブル１１１が接続された状態で前記ストロボベース１０２に対して固定されている。
【００１５】
１１６はストロボユニットのポップアップ状態を検知するための検知スイッチであり、前記ストロボ基板１１５上に実装されている。１１９は解除レバーであり、解除レバーバネ１１８によって一方向へ付勢され、後述する機構によって前記発光部１０１を収納位置に保持するとともにスライド動作に伴ってポップアップ位置への解除を行う。１２０はストロボユニット側面において前記解除レバー１１９を所定位置で保持するための解除レバープレート、１２１はカメラに付属するストラップを挿通するためのストラップベースであり、前記ストロボベース１０２にビス止めされる。１２２はメインコンデンサであり、両面テープ等（不図示）によって前記ストロボベース１０２に固定される。
【００１６】
図２はカメラ本体のストロボを収納した状態を示す斜視図である。
【００１７】
１２３はカメラ上部を覆うトップカバーであり、前記ストロボカバー１０４部に対応する位置には開口形状が設けられている。１２４はアルミ等の板金を絞り加工して形成されるフロントカバーであり、１２５はカメラ側面を覆うように形成されるサイドカバーである。１２６は鏡筒ユニット、１２７は鏡筒前面を覆うように構成されるフロントキャップである。
【００１８】
図３においてストロボユニットはポップアップ状態を示しており、リンク部材１０５は回動移動した位置において発光部１０１を保持している。１１９は解除レバーであり、サイドカバー１２５に形成された開口部においてカメラ前後方向にスライド可能に保持されている。
【００１９】
次にストロボユニットの収納位置からポップアップ位置へと移動する際の解除動作について図４および図５を使用して説明する。
【００２０】
図４はストロボユニットの断面図であり、発光部１０１は収納状態に保持されている。この状態で発光部１０１を保持するストロボホルダ１０３のフック部１０３ａが解除レバー１１９のフック部１１９ａによって係止されている。解除レバー１１９はストロボベース１０２との間に配置された解除レバーバネ１１８によってストロボホルダ１０３を係止する方向へと付勢されている。図５は図４の状態から解除レバー１１９を矢印の方向へとスライドさせた状態を示している。図５において、前述のフック部１１９ａはスライド動作によってストロボホルダ１０３のフック部１０３ａの係止を解除する状態へと移動されている。そのため、発光部１０１は図１のリンク部材１０５等で後述する動作によって回動され、ポップアップ位置（図３の状態）へと移動することが可能となる。
【００２１】
次に図６を使用してストロボのポップアップ動作におけるリンク機構の動作を説明していく。図６は（ａ）の収納状態から、（ｄ）のポップアップ完了状態まで（ａ）〜（ｄ）の順番に発光部１０１およびリンク部材１０５部分の断面図を示している。
【００２２】
（ａ）の状態において発光部１０１はトップカバー１２３に対して収納された位置に保持されており、前述の解除レバー１１９によってストロボホルダ１０３は係止されている（不図示）。この状態で発光部１０１の背面に接続されたフレキシブルケーブル１１１は発光部１０１から、リンク部材１０５とフレキカバー１１０の間を通ってストロボベース１０２の上面を這いまわされ背面に固定されたストロボ基板１１５へと接続される。この状態から解除レバー１１９を解除すると、図１に記載のリンクバネ１０７によってリンク部材１０５は下側シャフト１０９を中心に回動を始める。同時にストロボホルダ１０３も図１に記載のホルダバネ１０６によって上側シャフト１０８を中心に回動を始める。
【００２３】
（ｂ）はポップアップ動作を開始して発光部１０１がトップカバー１２３に対して半分程度露出している状態である。この時回動レバー１１２も後述する機構によって回動動作を行いフレキカバー１１０に対して当接した状態で付勢されている。
【００２４】
（ｃ）はさらにリンク部材１０５が回動した状態を示しており、この時発光部１０１はトップカバー１２３からは露出しているが、ポップアップした状態ではない途中の状態である。
【００２５】
（ｄ）はリンク部材１０５が回動動作しきった状態であり、リンク部材１０５の一部がストロボベース１０２に対して接触して回転止めされている。（ｄ）の状態においてフレキシブルケーブル１１１は一部がストロボベース１０２およびフレキカバー１１０の隙間から露出するような状態になるが、外部から容易に触れられないように回動レバー１１２が回動動作を行う。
【００２６】
次に図７をおよび図８使用して回動レバー１１２の回動動作、およびポップアップを検知する方法に関して説明する。
【００２７】
図７は図６の（ａ）〜（ｂ）に対応するポップアップ位置において、回動レバー１１２およびスイッチレバー１１４部分を説明する側面図である（説明のため、ストロボベース１０２は除いて図示している）。
【００２８】
（ａ）において、回動レバー１１２は収納位置においてフレキカバー１１０に対して接触した状態にある。回動レバー１１２は回動中心位置において駆動ギア形状１１２ａが一体で形成されていて、アイドルギア１１３へと駆動を伝達するように噛み合っている。スイッチレバー１１４はストロボベース１０２（不図示）に対して上下方向へと移動可能に保持され、スイッチバネ１１７によって上方へと付勢されている。スイッチレバー１１４にはアイドルギア１１３に対して噛み合って駆動を伝達するラック形状１１４ａと検知スイッチ１１６の検出部に対して押圧することで検出を行う押し子部１１４ｂが一体で形成されている。（ｂ）の状態までポップアップ動作をすると、スイッチレバー１１４はスイッチバネ１１７によって上方へと移動を始める。スイッチレバーの移動によりラック形状１１４ａからアイドルギア１１３を介して回動レバー１１２の駆動ギア形状１１２ａへと駆動が伝達される。これにより回動レバー１１２は駆動ギア１１２ａを中心に回動し、フレキカバー１１０に接触した状態で保持されている。（ｃ）はさらに回動動作をした状態であり、（ｄ）のポップアップした状態になるまで回動レバーは回動動作を行う。この時スイッチレバー１１４も同様に上方へと移動を行って、（ｄ）の状態で停止する。
【００２９】
図８は図６および図７の（ａ）から（ｄ）の位置に対応した検知スイッチ１１６およびスイッチレバー１１４の動作を示した図である。
【００３０】
（ａ）の位置において、スイッチレバー１１４の押し子部１１４ｂが検知スイッチ１１６の検出部１１６ａを押圧しているためＯＮの状態を検出している。（ｂ）の位置は（ａ）の位置よりも上方へと移動しているが、押し子部１１４ｂは検出部１１６ａを押圧しているためＯＮの状態を維持している。（ｃ）の状態では、さらにスイッチレバー１１４が上方へと移動しており、押し子部１１４ｂが検出部１１６ａから離れるためスイッチ１１６はＯＦＦに切り替わる。検知スイッチ１１６がＯＦＦになるとストロボが十分にポップアップしたことを判断して、カメラは発光可能な状態となる。（ｄ）ではポップアップした状態であり、押し子部１１４ｂと検出部１１６ａの隙間は十分確保された状態となる。
【００３１】
図９は図６〜図８における（ｂ）の状態のカメラ正面を表した図である。この状態では、発光部１０１はトップカバー１２３に対して半分ほど隠れた状態になっており、この状態で発光することは本体内部の焼けなどの懸念があるため望ましくない。
【００３２】
そのため、図７および図８に示すように（ｂ）の状態では検知スイッチ１１６はＯＮの状態であり、カメラ本体は発光不可の信号となっているためストロボの発光を防止することができる。また、（ｃ）の状態では検知スイッチ１１６はＯＦＦの状態であり、カメラ本体は発光可能の信号となっているためストロボ発光することができる。（ｃ）の状態においては、発光部１０１がトップカバー１２３から十分に露出しているため発光したとしても不都合はない。
【００３３】
次に、図１０を使用してフレキシブルケーブル１１１を保護する構成を説明する。
【００３４】
ポップアップした状態においては前述した機構によって回動レバー１１２がフレキカバー１１０に対して当接するように付勢されているため、外部からフレキシブルケーブル１１１を傷つけてしまうことを防止できる。また、フレキカバー１１０および回動レバー１１２を導電性樹脂等の材料で形成することによって静電気等によるフレキシブルケーブル１１１への放電による故障を防止することが可能となる。
【００３５】
以上、説明したように本実施例では、ストロボのポップアップ動作に連動して回動レバー１１２を回動させて、スイッチレバー１１４を上下動することで検知スイッチ１１６の切り替えを行う。また回動レバー１１２の回動動作を駆動ギア列１１３によってスイッチレバー１１６へと伝達する際のギア比を変えることによってスイッチの検出タイミングを調整することが可能となる。
【００３６】
これにより、ストロボのポップアップ機構を検出する構成において、ポップアップ完了位置の直前に検出することで、本体から露出しきっていない状態での発光を防止することが可能になる。
【００３７】
以上、本発明の好ましい実施形態について説明したが、本発明はこれらの実施形態に限定されず、その要旨の範囲内で種々の変形及び変更が可能である。
【符号の説明】
【００３８】
１０１  発光部、１０２  ストロボベース、１０３  ストロボホルダ、
１０４  ストロボカバー、１０５  リンク部材、１０６  ホルダバネ、
１０７  リンクバネ、１０８  上側シャフト、１０９  下側シャフト、
１１０  フレキカバー、１１１  フレキシブルケーブル、１１２  回動レバー、
１１３  アイドルギア、１１４  スイッチレバー、１１５  ストロボ基板、
１１６  検出スイッチ、１１７  スイッチバネ、１１８  解除レバーバネ、
１１９  解除レバー
【図１】
2016206571.tif 000003
【図２】
2016206571.tif 000004
【図３】
2016206571.tif 000005
【図４】
2016206571.tif 000006
【図５】
2016206571.tif 000007
【図６】
2016206571.tif 000008
【図７】
2016206571.tif 000009
【図８】
2016206571.tif 000010
【図９】
2016206571.tif 000011
【図１０】
2016206571.tif 000012